(57)【特許請求の範囲】
【請求項１】
相分離母線の作業区域と危険区域との分離位置において前記相分離母線の母線導体の周囲に巻き付けられる固定帯体と、前記固定帯体に取り付けられ前記固定帯体が前記母線導体の周囲に巻き付けられたときに前記母線導体の外縁から外側方向に立ち上がる張り骨と、前記張り骨により支持され前記母線導体の外縁から外側方向に拡がり前記母線導体の軸方向から見た進入禁止面を形成するシート部材と、前記母線導体の周囲に巻き付けられる固定帯体の輪径を調節可能に前記固定帯体の両端部を接続し係止するバックルとを備えたことを特徴とする相分離母線進入防止装置。
【請求項２】
前記相分離母線の作業区域と危険区域との分離位置の点検口から垂れ下げるための垂れ幕を前記シート部材の一部に設けたことを特徴とする請求項１に記載の相分離母線進入防止装置。
【請求項３】
前記シート部材は取り外し可能な複数のシート片によって構成されることを特徴とする請求項１または請求項２に記載の相分離母線進入防止装置。
【請求項４】
前記固定帯体の前記輪径を調整する側の端部に、前記固定帯体が前記母線導体の周囲に巻き付くように前記固定帯体の配置をガイドするためのガイドワイヤを設けたことを特徴とする請求項１ないし３のいずれか１項に記載の相分離母線進入防止装置。
【請求項５】
相分離母線の点検口の扉を開き、前記相分離母線の作業区域と危険区域との分離位置において請求項１ないし３のいずれか１項の相分離母線進入防止装置のシート部材の進入禁止面が前記相分離母線の作業区域側に向くように配置し、相分離母線の作業区域と危険区域との分離位置において前記相分離母線の母線導体の周囲に固定帯体を巻き付け、前記固定帯体の輪径を調節して前記シート部材を前記母線導体の外縁から外側方向に拡げ、前記固定帯体の両端部を接続し係止することを特徴とする相分離母線進入防止装置の取付方法。
【請求項６】
相分離母線の点検口の扉を開き、前記相分離母線の作業区域と危険区域との分離位置において請求項４の相分離母線進入防止装置のシート部材の進入禁止面が前記相分離母線の作業区域側に向くように配置し、前記相分離母線の作業区域と危険区域との分離位置において前記固定帯体の端部に設けられたガイドワイヤを前記母線導体の周囲に巡らせ、前記ガイドワイヤを手繰って前記母線導体の周囲に前記固定帯体を巻き付け、前記固定帯体の輪径を調節して前記シート部材を前記母線導体の外縁から外側方向に拡げ、前記固定帯体の両端部を接続し係止することを特徴とする相分離母線進入防止装置の取付方法。
【発明の詳細な説明】
【技術分野】
【０００１】
本発明は、発電機と電気機器とを接続する相分離母線内部の点検を行う際に充電部分への進入防止を図るための相分離母線進入防止装置及び取付方法に関する。
【背景技術】
【０００２】
一般に、発電所あるいは変電所などにおいては、発電機と電気機器とを接続する母線設備として母線外部を容器で覆った閉鎖母線が適用されており、特に母線を流れる電流が大きい場合は、各相ごとに母線導体を金属製の外被で囲った相分離母線が使用されている。そして、この相分離母線においては定期的に保守点検が行われている（例えば、特許文献１参照）。
【０００３】
相分離母線の保守点検の際には発電機と電気機器との間の遮断器（負荷開閉器）及び断路器（以下、主回路開閉装置という）を開放して、発電機を停止し、金属製の外被の点検口から保守点検員が外被内に入り点検作業を行っている。この場合、主回路開閉装置が開放した発電機の反対側の電気機器側は通電しているので充電部分となる。この充電部分に誤って保守点検員が進入しないようにする対策が必要となる。
【０００４】
通常、電気所の構内を始め各種の作業場や危険区域では、進入による人身事故或いは設備事故を防止するために区画ネットで作業場や危険区域を囲んでいる。作業場や危険区域で用いられる区画ネットに進入や衝突があった場合、確実に警告を発して事故を防止し、しかも広範囲に巡らせた区画ネットでも少数の装置の設置で足りるようにしたものがある（例えば、特許文献２参照）。
【特許文献１】特開平１１−２０５９７４号公報
【特許文献２】特開平８−２９７７８４号公報
【発明の開示】
【発明が解決しようとする課題】
【０００５】
しかし、区画ネットにて作業区域と危険区域との区画を行うには、区画ネットの固定用の部材を複数箇所に前もって設置することが必要となり、大変な手間がかかる。特に、相分離母線は容器に収納されているので、容器の点検口から部材を搬入して区画ネットを設置することになる。また、相分離母線の母線導体は円柱状で発電機から延伸しているので、区画ネットの設置にあたっては、母線導体の軸方向の危険区域への進入防止を図るように母線導体の周囲に設置しなければならない。つまり、母線導体が区画ネットを貫くように形成しなければならないので、区画ネットの設置作業には大変な手間がかかる。
【０００６】
本発明の目的は、相分離母線の母線導体の周囲に容易に着脱可能で母線導体の軸方向の危険区域への進入防止を図ることができる相分離母線進入防止装置及び取付方法を提供することである。
【課題を解決するための手段】
【０００７】
請求項１の発明に係わる相分離母線進入防止装置は、相分離母線の作業区域と危険区域との分離位置において前記相分離母線の母線導体の周囲に巻き付けられる固定帯体と、前記固定帯体に取り付けられ前記固定帯体が前記母線導体の周囲に巻き付けられたときに前記母線導体の外縁から外側方向に立ち上がる張り骨と、前記張り骨により支持され前記母線導体の外縁から外側方向に拡がり前記母線導体の軸方向から見た進入禁止面を形成するシート部材と、前記母線導体の周囲に巻き付けられる固定帯体の輪径を調節可能に前記固定帯体の両端部を接続し係止するバックルとを備えたことを特徴とする。
【０００８】
請求項２の発明に係わる相分離母線進入防止装置は、請求項１の発明において、前記相分離母線の作業区域と危険区域との分離位置の点検口から垂れ下げるための垂れ幕を前記シート部材の一部に設けたことを特徴とする。
【０００９】
請求項３の発明に係わる相分離母線進入防止装置は、請求項１または２の発明において、前記シート部材は取り外し可能な複数のシート片によって構成されることを特徴とする。
【００１０】
請求項４の発明に係わる相分離母線進入防止装置は、請求項１ないし３のいずれか１項の発明において、前記固定帯体の前記輪径を調整する側の端部に、前記固定帯体が前記母線導体の周囲に巻き付くように前記固定帯体の配置をガイドするためのガイドワイヤを設けたことを特徴とする。
【００１１】
請求項５の発明に係わる相分離母線進入防止装置の取付方法は、相分離母線の点検口の扉を開き、前記相分離母線の作業区域と危険区域との分離位置において請求項１ないし３のいずれか１項の相分離母線進入防止装置のシート部材の進入禁止面が前記相分離母線の作業区域側に向くように配置し、相分離母線の作業区域と危険区域との分離位置において前記相分離母線の母線導体の周囲に固定帯体を巻き付け、前記固定帯体の輪径を調節して前記シート部材を前記母線導体の外縁から外側方向に拡げ、前記固定帯体の両端部を接続し係止することを特徴とする。
【００１２】
請求項６の発明に係わる相分離母線進入防止装置の取付方法は、相分離母線の点検口の扉を開き、前記相分離母線の作業区域と危険区域との分離位置において請求項４の相分離母線進入防止装置のシート部材の進入禁止面が前記相分離母線の作業区域側に向くように配置し、前記相分離母線の作業区域と危険区域との分離位置において前記固定帯体の端部に設けられたガイドワイヤを前記母線導体の周囲に巡らせ、前記ガイドワイヤを手繰って前記母線導体の周囲に前記固定帯体を巻き付け、前記固定帯体の輪径を調節して前記シート部材を前記母線導体の外縁から外側方向に拡げ、前記固定帯体の両端部を接続し係止することを特徴とする。
【発明の効果】
【００１３】
本発明によれば、相分離母線の母線導体の周囲に配置して固定するだけで、母線導体の軸方向から見た進入禁止面を形成できるので、相分離母線の作業区域と危険区域とを容易に識別することができ、危険区域への進入防止を図ることができる。また、シート部材の一部に垂れ幕を設けた場合には、点検口において作業中であることを周囲に注目させることができ、また、点検作業終了後の取り外し忘れを防止できる。
【００１４】
また、シート部材は取り外し可能な複数のシート片によって構成した場合には、母線導体の周囲長さに変動があっても、シート部材の弛みを防止できる。また、固定帯の輪径を調整する側の端部にガイドワイヤを設けた場合には、ガイドワイヤを先行して母線導体に巡らせるので、固定帯体の母線導体への巻き付けを容易に行うことができ作業性を向上できる。
【発明を実施するための最良の形態】
【００１５】
図１は本発明の実施の形態に係わる相分離母線進入防止装置の斜視図である。図１に示すように、相分離母線進入防止装置１０は、固定帯体１１の周囲にシート部材１２が張り骨１３により取り付けられて形成され、シート部材１２の一部に垂れ幕１４が取り付けられている。固定帯体１１は帯状の紐で形成され、張り骨１３を回動自在に取り付けるための筒状の取付具１５が所定の間隔を保って配置されている。固定帯体１１は相分離母線（ＩＰＢ）の母線導体の周囲に巻き付けられる。固定帯体１１の一方端に設けられたバックル１６は、固定帯体１１が母線導体の周囲に巻き付けられたときに、母線導体の外径に合うように固定帯体１１の輪径を調節し、固定帯体１１の両端部を接続して係止するものである。また、固定帯体１１の一方端にはガイドワイヤ１７が取り付けられ、このガイドワイヤ１７は固定帯体１１が母線導体の周囲に巻き付くように固定帯体１１の配置をガイドするものである。ガイドワイヤ１７の先端部にはクリップ１８が設けられ、このクリップ１８にて固定帯体１１の輪径を調整する側の端部にガイドワイヤ１７が取り付けられている。
【００１６】
次に、張り骨１３は、図２に示すように略Ｌ字状に形成される。図２（ａ）は張り骨１３の正面図、図２（ｂ）は張り骨１３の平面図である。略Ｌ字状に形成された張り骨１３の短辺の端部にはネジ１９が形成されている。そして、張り骨１３の短辺は、図３に示すように固定帯体１１の筒状の取付部１５に挿入され、張り骨１３の短辺の端部ネジ１９に、例えば袋ナット２１を螺合して固定帯体１１に取り付ける。一方、張り骨の長辺は、図３に示すように、シート部材１２に予め形成されている袋状の通し孔２２に通されてシート部材１２に固定される。
【００１７】
次に、図１に示すように、シート部材１２は両端部が開放された円環帯状に形成され、両端部に接合部２４ａ、２４ｂを有し、接合部２４ａ、２４ｂは、固定帯体１１が母線導体２６の周囲に巻き付けられたときにシート部材１２の長さを調節してシート部材１２の両端部を固定する。図１では接合部２４ａ、２４ｂとして、マジックテープ（登録商標）である場合を示しているが、ホック、ボタン、チャックなどで構成してもよい。シート部材１２は張り骨１３により支持されており、その張り骨１３は固定帯体１１が母線導体の周囲に巻き付けられたときに母線導体の外縁から外側方向に立ち上がるので、シート部材１２は、固定帯体１１が母線導体の周囲に巻き付けられたときには、母線導体の外縁から外側方向に拡がる。従って、このシート部材１２が母線導体の軸方向から見たときの進入禁止面を形成することになる。
【００１８】
ここで、張り骨１３は強度を保つために金属部材で形成され、固定帯体１１やシート部材１２は布地で形成される。そして、前述したように、張り骨１３の長辺はシート部材１２に予め形成されている袋状の通し孔２２に通されてシート部材１２に固定されるようになっており、金属部材である張り骨が直接的に母線導体２６に接触しないようにしている。これにより、相分離母線進入防止装置が相分離母線の母線導体２６に取り付けられる際に、母線導体２６を傷つけないようにしている。
【００１９】
次に、図４は本発明の実施の形態に係わる相分離母線進入防止装置が取り付けられる相分離母線の一部切欠断面図である。相分離母線２５は母線導体２６を金属製の外被２７で囲って構成されている。いま、図４の右側が発電機側で左側が主変圧器側であるとし、発電機側と主変圧器側との間に主回路開閉装置２８があるとする。そして、発電機と主変圧器との間の主回路開閉装置２８を開放し、発電機を停止して、点検対象である母線導体２６を接地して、保守点検員が発電機側の相分離母線を点検する場合を考える。
【００２０】
まず、点検口の扉２９を開き、保守点検員は、本発明の実施の形態に係わる相分離母線進入防止装置１０を取り付ける。すなわち、主回路開閉装置２８が開放した発電機側は非通電であるので作業区域であり、その反対側である主変圧器側は通電しているので危険区域である。
【００２１】
図５は本発明の実施の形態に係わる相分離母線進入防止装置が取り付けられる相分離母線の回路図の一例である。発電機２０と主変圧器２３との間には主回路開閉装置２８が接続されている。この主回路開閉装置２８が開放されると、相分離母線２０の作業区域と危険区域との分離位置は、主回路開閉装置２８の発電機２０側となるので、この位置に相分離母線進入防止装置１０を取り付ける。
【００２２】
相分離母線の点検口は主回路開閉装置２８の発電機２０側に設けられているので、相分離母線２０の作業区域と危険区域との分離位置は、主回路開閉装置２８が開放して非充電部分となった位置の点検口で区画し、充電部分である主変圧器側への進入を防止するために、点検口の母線導体２６に相分離母線進入防止装置１０を取り付ける。
【００２３】
図６は本発明の実施の形態に係わる相分離母線進入防止装置１０を相分離母線の母線導体２６に取り付けた場合の正面図である。図６では、相分離母線進入防止装置１０を作業区域側から見た場合を示している。シート部材１２が相分離母線２５の外被２７内に位置し、垂れ幕１４が相分離母線２５の外被２７の外部に位置する。これにより、相分離母線２５の内部においては、母線導体２６のシート部材１２が母線導体２６の外縁から外側方向に拡がっているので、母線導体２６の軸方向から見た進入禁止面が形成される。
【００２４】
このシート部材１２の進入禁止面には注意を喚起する文字や図柄を記載する。例えば「高圧危険、この先充電中、進入禁止」等の文字や、危険を表す赤色、黄色、蛍光色等の色彩の枠取りで文字を囲って注意を喚起する。これにより、薄暗い相分離母線内部においても、相分離母線の外被２７内の保守点検員は危険区域と作業区域との識別が容易にできる。同様に、垂れ幕１４にも注意を喚起する文字や図柄を記載する。これにより、が相分離母線２５の外被２７の外部からも相分離母線の点検中であることが容易に分かるようにしている。
【００２５】
次に、相分離母線進入防止装置１０の取付方法について説明する。図７は相分離母線進入防止装置１０の取付方法の工程を示したフローチャートである。
【００２６】
まず、相分離母線の点検口の扉を開く（Ｓ１）。そして、相分離母線の作業区域と危険区域との分離位置において相分離母線進入防止装置１０のシート部材１２の進入禁止面が相分離母線２５の作業区域側に向くように配置する（Ｓ２）。
【００２７】
次に、相分離母線の母線導体２６の周囲にガイドワイヤ１７を巡らせる（Ｓ３）。すなわち、ガイドワイヤ１７を上方に突き上げて外被２７の内周面に沿って母線導体２６の周囲にガイドワイヤ１７を巡らせる。ガイドワイヤ１７の端部に取り付けられたクリップ１８を固定帯体１１に取り付け、母線導体２６の周囲を巡ったガイドワイヤ１７を手繰って母線導体２６の周囲に固定帯体１１を巻き付ける（Ｓ４）。これにより、点検保守員は固定帯体１１を母線導体１６の頂上部まで持っていくことなく固定帯体１１を母線導体２６の周囲に巡らせることができる。固定帯体１１を母線導体２６の周囲に巡らせた後に、固定帯体１１からクリップ１８を外してガイドワイヤ１７を取り外す。
【００２８】
そして、母線導体２６の外径に合うように固定帯体１１の輪径を調節してシート部材１２を母線導体２６の外縁から外側方向に拡がる（Ｓ５）。これにより、張り骨１３が立ち上がり、相分離母線２５の外被２７内ではシート部材１２が母線導体２６の軸方向の面を塞ぐように拡がり、シート部材１２が拡がり母線導体２６の軸方向から見た進入禁止面を形成する。一方、相分離母線２５の外被２７の外部には垂れ幕１４を出し、外被２７の外部から点検中であることを報知できるようにする。最後に、固定帯体１１の両端部をバックル１６で接続し係止する（Ｓ６）。この場合、シート部材１２の両端部の接合部２４ａ、２４ｂも接合させることは言うもでもない。
【００２９】
以上の説明では、ガイドワイヤ１７を設けた場合について説明したが、ガイドワイヤ１７は必ずしも設ける必要はない。ガイドワイヤ１７を設けない場合には、点検保守員は固定帯体１１を母線導体１６の頂上部まで持っていき固定帯体１１を母線導体２６の周囲に巡らせることになる。また、垂れ幕１４についても同様に、必ずしも設ける必要はない。垂れ幕１４は相分離母線１５の外被２７の外部の保守点検員に点検中であることを報知するものであり、この垂れ幕１４がなくとも点検作業員が誤って危険区域に入り込むことはないからである。
【００３０】
また、張り骨１３は、図２に示すように、略Ｌ字状に形成し、固定帯体１１に対する立ち上がり角度θは略９０度としたが、張り骨１３の立ち上がり角度θは必ずしも９０度である必要はなく、図８（ａ）に示すように９０度よりも大きくてもよい。また、図８（ｂ）に示すように、９０度よりも小さくてもよい。立ち上がり角度θの異なる張り骨１３を用意することによって、シート部材１２の円環帯状の幅が大きく、相分離母線の外被２７内の内径が小さい場合であっても、シート部材１２を拡げた状態で相分離母線の外被２７内に収納することが可能となる。すなわち、相分離母線２５の外被２７内でシート部材１２を拡げた場合、立ち上がり角度θが９０度より小さい場合及び立ち上がり角度θが９０度より大きい場合には、母線導体２６の軸方向の面に対しての投影面積が小さくなるので、シート部材１２の円環帯状の幅が大きい場合であっても、シート部材１２を相分離母線の外被２７内に拡げても収納可能となる。この場合、シート部材１２が弛まないように立ち上がり角度θを選定することは言うまでもない。
【００３１】
また、以上の説明では、シート部材１２は円環帯状のものについて説明したが、複数のシート片によって構成されるようにしてもよい。図９は６個のシート辺３０により相分離母線進入防止装置１０を構成したものである。この場合、各々のシート片３０の両側に張り骨１３を設けるとともに張り紐３１を設けることになる。母線導体２６の周囲長さに変動があっても、シート部材１２がシート辺３０に分割され、シート片３０を張り子も３１で連結するので弛みを防止できる。この場合、シート辺３０の間と張り紐３１とでΔの隙間が生じるが、このΔの隙間は人が通れない程度の大きさとなるようにシート辺３０の大きさ及び枚数を選定することが好ましい。
【００３２】
また、図１０に示すように、シート部材１２を多角形状に形成するようにしてもよい。図１０では６角形に形成した場合を示している。この場合は、Δの隙間が生じないので、誤って人が隙間を通行することを確実に防止できる。
【００３３】
本発明の実施の形態によれば、相分離母線２５の母線導体２６の周囲に固定帯体１１を巻き付けて、固定帯体１１の輪径を母線導体２６の外径に合わせるだけで、張り骨１３が立ち上がりシート部材１２が母線導体２６の軸方向の面を塞ぐように拡がるので、母線導体の軸方向から見た進入禁止面を形成できる。従って、相分離母線２５の作業区域と危険区域とを容易に識別することができ、危険区域への進入防止を図ることができる。また、シート部材の一部に垂れ幕１４を相分離母線２５の外被２７の外部に垂らすので、点検口において作業中であることを周囲に注目させることができ、また、点検作業終了後の取り外し忘れを防止できる。
【図面の簡単な説明】
【００３４】
【図１】本発明の実施の形態に係わる相分離母線進入防止装置の斜視図。
【図２】本発明の実施の形態に係わる相分離母線進入防止装置の張り骨の一例を示す説明図。
【図３】本発明の実施の形態における固定帯体への張り骨の取付部分の断面図。
【図４】本発明の実施の形態に係わる相分離母線進入防止装置が取り付けられる相分離母線の一部切欠断面図。
【図５】本発明の実施の形態に係わる相分離母線進入防止装置が取り付けられる相分離母線の一例を示す回路図。
【図６】本発明の実施の形態に係わる相分離母線進入防止装置を相分離母線の母線導体に取り付けた場合の正面図。
【図７】本発明の実施の形態に係わる相分離母線進入防止装置の取付方法の工程を示したフローチャート。
【図８】本発明の実施の形態に係わる相分離母線進入防止装置の張り骨の他の一例を示す説明図。
【図９】本発明の実施の形態に係わる相分離母線進入防止装置のシート部材を複数のシート辺で構成した場合の相分離母線進入防止装置の正面図。
【図１０】本発明の実施の形態に係わる相分離母線進入防止装置のシート部材を多角形状に形成した場合の相分離母線進入防止装置の正面図。
【符号の説明】
【００３５】
１０…相分離母線進入防止装置、１１…固定帯体、１２…シート部材、１３…張り骨、１４…垂れ幕、１５…取付具、１６…バックル、１７…ガイドワイヤ、１８…クリップ、１９…ネジ、２０…発電機、２１…袋ナット、２２…通し孔、２３…主変圧器、２４…接合部、２５…相分離母線、２６…母線導体、２７…外被、２８…主回路開閉装置、２９…扉、３０…シート辺、３１…張り紐
【図１】
0004389979.tif 000002
【図２】
0004389979.tif 000003
【図３】
0004389979.tif 000004
【図４】
0004389979.tif 000005
【図５】
0004389979.tif 000006
【図６】
0004389979.tif 000007
【図７】
0004389979.tif 000008
【図８】
0004389979.tif 000009
【図９】
0004389979.tif 000010
【図１０】
0004389979.tif 000011